(57)【要約】【課題】  この発明は、信書などの機密性の高い物品を搬送するのに使用する比較的小型の不正開封防止箱に関する。【解決手段】  不正開封防止箱が、一方向で対峙する蓋片が、内側蓋片と、該内側蓋片の上に重ねて折り込まれる外側蓋片とからなっており、外側蓋片の縦延長方向に折曲げ線を介して第１差込片を連設し、該第１差込片には左右両側に第１ストッパ片を突設すると共に前記折曲げ線に沿って第１スリットを穿設してなり、内側蓋片に、連接する側板との間の折曲げ線に沿って前記第１差込片を挿入可能な第２スリット部を有する切欠孔部を設け、内側蓋片と連接する側板に一対の切込線を有すると共に前記切欠孔部内に延びる第２差込片と、該第２差込片の左右両側に突出する第２ストッパ片とを一体に設けてなることを特徴とする。【選択図】  図１
2007204054.tif 000002
【特許請求の範囲】
【請求項１】
四角筒状本体を形成する横方向に延びる４連の側板と、各側板から折曲げ線を介して縦方向の少なくとも一方に延びて四角筒状本体の四角形の開口面を塞ぐ蓋片を有し、該蓋片を不正に開封できないようにした不正開封防止箱において、
一方向で対峙する蓋片が、内側蓋片と、該内側蓋片の上に重ねて折り込まれる外側蓋片とからなっており、
外側蓋片の縦延長方向に折曲げ線を介して第１差込片を連設し、該第１差込片には左右両側に第１ストッパ片を突設すると共に前記折曲げ線に沿って第１スリットを穿設してなり、
内側蓋片に、連接する側板との間の折曲げ線に沿って前記第１差込片を挿入可能な第２スリット部を有する切欠孔部を設け、内側蓋片と連接する側板に一対の切込線を有すると共に前記切欠孔部内に延びる第２差込片と、該第２差込片の左右両側に突出する第２ストッパ片とを一体に設けてなり、
前記内側蓋片を折り込んで開口部を覆う縁部に沿って前記第２スリットが開口し、前記外側蓋片を重ねる際に左右の第１ストッパ片を第１第差込片の内側に重なるように折り曲げた状態で前記第２スリットに挿入し、前記第１差込片の第１スリットが前記第２差込片を屈曲することで形成される一対の切込線間の空間内で開口し、第２差込片の先端の第２ストッパ片を第２差込片の内側に折り重ねて前記第１スリットに挿入し、
挿入後に箱体内部の空間で前記折り重ねた第１、第２ストッパ片がそれぞれ自然に広がってストッパとなることを特徴とする不正開封防止箱。
【請求項２】
四角筒状本体が一対に対峙する幅広の側板と幅狭の側板とからなっており、
蓋片が幅広の側板に形成されており、
幅狭の側板には蓋片の内側に折り込まれる蓋補助片が設けられていることを特徴とする請求項１に記載の不正開封防止箱。
【請求項３】
展開時の不正開封防止箱が１枚のブランクから形成されており、四角筒状本体の縦方向両側にそれぞれ蓋片が設けられていることを特徴とする請求項１または２に記載の不正開封防止箱。
【発明の詳細な説明】
【技術分野】
【０００１】
この発明は、箱の蓋片を折り曲げと重ね合わせによる結合で簡単に組み立てることができ、しかも、貼着せずに製作することができる不正開封防止箱に関する。
【背景技術】
【０００２】
箱を形成するに際して、外蓋に設けた係止片をスリット状の開口部に差し込み、該差し込まれた係止片にも開口部を設けて本体側に設けた係止片を差し込んで縦横方向に拘束する構造も知られている（例えば実開昭６１−６９０６９号公報参照）。
また、不正開封防止箱としては、例えば実公昭３１−６３９７号公報や実用新案登録第２５０５１７５号公報では、係合手段が開口部に挿入時に折り込まれ、挿入後は包装容器内で自然に広がり、開口部を破壊することなく開口部から引き出し不可能にして不正開封を防止する構成が開示されている。
しかし、この種の不正開封防止構造では、十分な開封防止が得られなかったり、構造が複雑となるなどの問題点があった。
【特許文献１】実用新案登録第２５０５１７５号
【発明の開示】
【発明が解決しようとする課題】
【０００３】
この発明は上記実情に鑑みてなされたもので、その主たる課題は、簡単な構造でありながら、外から指などを差し込んで箱を開封することができない不正開封防止箱を提供することにある。
【課題を解決するための手段】
【０００４】
上記課題を解決するために、請求項１の発明では、
四角筒状本体を形成する横方向に延びる４連の側板と、各側板から折曲げ線を介して縦方向の少なくとも一方に延びて四角筒状本体の四角形の開口面を塞ぐ蓋片を有し、該蓋片を不正に開封できないようにした不正開封防止箱において、
一方向で対峙する蓋片が、内側蓋片と、該内側蓋片の上に重ねて折り込まれる外側蓋片とからなっており、
外側蓋片の縦延長方向に折曲げ線を介して第１差込片を連設し、該第１差込片には左右両側に第１ストッパ片を突設すると共に前記折曲げ線に沿って第１スリットを穿設してなり、
内側蓋片に、連接する側板との間の折曲げ線に沿って前記第１差込片を挿入可能な第２スリット部を有する切欠孔部を設け、内側蓋片と連接する側板に一対の切込線を有すると共に前記切欠孔部内に延びる第２差込片と、該第２差込片の左右両側に突出する第２ストッパ片とを一体に設けてなり、
前記内側蓋片を折り込んで開口部を覆う縁部に沿って前記第２スリットが開口し、前記外側蓋片を重ねる際に左右の第１ストッパ片を第１第差込片の内側に重なるように折り曲げた状態で前記第２スリットに挿入し、前記第１差込片の第１スリットが前記第２差込片を屈曲することで形成される一対の切込線間の空間内で開口し、第２差込片の先端の第２ストッパ片を第２差込片の内側に折り重ねて前記第１スリットに挿入し、
挿入後に箱体内部の空間で前記折り重ねた第１、第２ストッパ片がそれぞれ自然に広がってストッパとなることを特徴とする。
請求項２の発明では、
前記四角筒状本体が一対に対峙する幅広の側板と幅狭の側板とからなっており、
蓋片が幅広の側板に形成されており、
幅狭の側板には蓋片の内側に折り込まれる蓋補助片が設けられていることを特徴とする。
また、請求項３の発明では、
展開時の不正開封防止箱が１枚のブランクから形成されており、四角筒状本体の縦方向両側にそれぞれ蓋片が設けられていることを特徴とする。
【発明の効果】
【０００５】
この発明では、縦方向と横方向にそれぞれ第１差込片と第２差込片を設けて掛止めると共に、それぞれにストッパ片を設けて抜け止めするように構成されているので、簡単な構造で組立が容易である。また、ストッパが邪魔になることもない。
開封するには箱を破損しなければならず、開封の有無を容易に目視判別できるので、信書や秘密書類、貴重品その他物品の包装用に極めて有益である。
【発明を実施するための最良の形態】
【０００６】
この発明では、第１差込片と第２差込片により蓋片を縦横に掛止め、更にストッパ片を用いて抜け止めとすることで、不正開封防止を実現した。
以下に、この発明の不正開封防止箱の実施の形態を図面を参照しながら説明する。
【実施例１】
【０００７】
［側板］
不正開封防止箱１は、図１の展開図に示すように、１枚の段ボールなどの板紙のブランクからなっている。
即ち、ブランク中央に、幅広の側板と幅狭の側板を点線で示す縦折込線を介して交互に図中横方向に連続した４連の側板３１、３２、３３、３４が形成されている。
また、一端側の側板３１には接着用の貼付片３５が連設されている。
【０００８】
また、各側板には縦方向の両側に図中点線で示す横折込線を介して蓋片２、１１または蓋補助片２０が連設されている。
本実施例では、幅広の側板３１、３３に外側蓋片２と内側蓋片１１とが形成されており、幅狭の側板には蓋片の内側に折り込まれる蓋補助片２０が設けられている。
蓋補助片２０は、図示例の場合、短い矩形片からなっており、蓋を閉じる際に、後述の第２スリット１５を塞がない大きさに設定されている。
【０００９】
［外側蓋片］
外側蓋片２は、その縦方向先端に、横折曲げ線を介して、外側蓋片２より幅狭で略中央に配置した第１差込片３を連設している。
該第１差込片３は、左右両側に縦折込線を介して第１ストッパ片４を一対に突設しており、また外側蓋片２との間の前記横折曲げ線Ａに沿って第１スリット５を穿設している。
そして、図示例では、第１スリット５は、外側が高く中央が低い略矩形の孔からなっている。
【００１０】
［内側蓋片］
次に、内側蓋片１１は、連接する側板３３との間の横折曲げ線に沿って前記第１差込片３を挿入可能な第２スリット部１５を有する切欠孔部１６を設けている。
この切欠孔部１６は、内側蓋片１１の中央で、横折曲げ線に沿って形成された前記第２スリット部１５と、該第２スリット部１５と連通する幅狭の空間部１７とからなる略凸形状の窓孔からなっている。
【００１１】
また、内側蓋片１１と連設する側板３３には、前記切欠孔部１６方向へ延びる一対の切込線１２が形成されており、切込線１２で囲まれた帯状部分から前記切欠部１６内へ延びる第２差込片１３と、該第２差込片１３の左右両側に突出する第２ストッパ片１４とが一体に形成されている。
【００１２】
即ち、本実施例では、図２に明瞭なように、切欠孔部１６を形成する際に、第２差込片１３と第２ストッパ片１４を残して切り取ることで、第２スリット部１５と空間部１７と第２差込片１３と第２ストッパ片１４とが同時に成形することができる。
【００１３】
そして、図１に示すブランクから、前記縦折曲げ線に沿って側板を折って四角筒体を形成し、貼付片３５を反対側の側板３４の内側に接着剤で固定する。
次に、上記構成の不正開封防止箱の蓋閉止手順について、図３から図５を参照しながら説明する。、
【００１４】
［蓋閉止手順］
まず、図３に示すように、開口面を塞ぐように左右の蓋補助片２０を折り込み、次いで、内側蓋片１１を蓋補助片２０の上に折り重ねる。
この際に、内側蓋片１１から第２差込片１３が抜けて、第２スリット１５が内側蓋片１１の基端に沿って上向きに開口する。
【００１５】
次に、外側蓋片２の第１差込片３を基端の横折曲げ線Ａに沿って折り曲げると共に、左右の第１ストッパ片４を縦折曲げ線Ｂに沿って第１第差込片３の内側に一体に重なるように折り曲げた状態で、前記第２スリット部１５に挿入し、外側蓋片２を内側蓋片１１の上に隙間無く重ね、前記切欠孔部１６を外側蓋片２で塞ぐようにする（図４参照）。
【００１６】
そして、第１差込片３を完全に差し込むと、その基端に形成された第１スリット５が、前記第２差込片１３を屈曲することで形成される一対の切込線１６間の空間内で側面に開口する。
そこで、第２差込片１３の先端の第２ストッパ片１４を第２差込片１３の内側に隙間無く一体に折り重ね、その状態で前記第１スリット５に挿入する。
【００１７】
このように第１、第２ストッパ片４、１４は、図６および図７に示すように、第１、第２差込片３、１３と一体となって第１、第２スリット５、１５内に挿入されると、箱体内部の空間で前記折り重ねた第１、第２ストッパ片４、１４はそれぞれ自然に広がってストッパとなる。
そのため、箱を破壊しないと開封することができない。
【００１８】
開封に際しては、開封手段を別途設ければよい。
本実施例では、４つの側板３１、３２、３３、３４を横断するテープ４０（図中、一点鎖線で示す）を内側に貼着し、１つの側板（図示例では３３）に前記テープ４０を切断すると共に、開封の契機となる片を切り込みやミシン目４１で形成するなど公知の構成を用いることができる。
【実施例２】
【００１９】
図８には、異なる実施例の不正開封防止箱１の展開図を示す。
この不正開封防止箱１では、前記実施例１に比べて幅狭の側板３２、３４の横幅が短く設定されており、蓋補助片２０を矩形にすると、前記第２スリット１５の一部を塞いでしまう虞れがある。
そこで、組立時に第２スリット１５を塞がないように対応部分に切欠２１を設けている。
その他の構成は前記実施例と同様であるので、同一構成には同一符号を付してその説明を省略する。
【００２０】
上記各実施例では、側板の縦方向の両側に同一構成の蓋片を設けた場合を例示したが、この発明では、一方側だけを蓋片の構造とし、他方側は例えばワンタッチ箱構造や、底組み箱（アメリカンロック）構造、その他の公知の構造を用いてもよい。
その他、要するにこの発明の要旨を変更しない範囲で種々設計変更しうること勿論である。
【図面の簡単な説明】
【００２１】
【図１】実施例１の不正開封防止箱の展開図である。
【図２】切欠孔部の拡大図である。
【図３】組立状態の第１ステップを示す斜視図である。
【図４】組立状態の第２ステップを示す斜視図である。
【図５】組立状態の第３ステップを示す斜視図である。
【図６】ストッパの状態を示す断面図である。
【図７】ストッパの状態を示す平面図である。
【図８】実施例２の不正開封防止箱の展開図である。
【符号の説明】
【００２２】
１    不正開封防止箱
２    外側蓋片  ２
３    第１差込片  ３
４    第１ストッパ片  ４
５    第１スリット  ５
１１    内側蓋片  １１
１２    切込線      １２
１３    第２差込片  １３
１４    第２ストッパ片  １４
１５    第２スリット  １５
１６    切欠孔部  １６
１７    空間部１７
２０    蓋補助片
２１    切欠
３１〜３４  側板  ３１
３５    貼付片３５
【図１】
2007204054.tif 000003
【図２】
2007204054.tif 000004
【図３】
2007204054.tif 000005
【図４】
2007204054.tif 000006
【図５】
2007204054.tif 000007
【図６】
2007204054.tif 000008
【図７】
2007204054.tif 000009
【図８】
2007204054.tif 000010